(57)【特許請求の範囲】
【請求項１】
現金自動取引機を積載してフロアに固定する現金自動取引機設置装置であって、
上面が開放され前記現金自動取引機の下部が嵌合する形状のスカートであって、前記現金自動取引機の下部側面に形成された雌ねじ部に対応する位置に取付穴が形成され、かつ、前記フロアに固定される前記現金自動取引機の下方領域に打ち込まれたアンカーボルトに対応する位置に固定用穴が形成されたスカートと、
前記取付穴を介して前記雌ねじ部に取り付けることによって、前記スカートと前記現金自動取引機とを固定し、取り外し防止機能を有する特殊ネジと、
前記固定用穴を介して前記アンカーボルトに前記スカートを固定するナットと、
を有することを特徴とする現金自動取引機設置装置。
【請求項２】
前記スカートの側面が開放されてなり、前記スカートの開放された側面にフロントカバーを前記特殊ネジによって取り付けて覆うことを特徴とする請求項１に記載された現金自動取引機設置装置。
【請求項３】
前記現金自動取引機の下方領域に前記固定用穴が形成されていることを特徴とする請求項１または請求項２に記載された現金自動取引機設置装置。
【請求項４】
前記現金自動取引機の接地面積と前記スカートの接地面積とが、略同一であることを特徴とする請求項１乃至請求項３の何れか一に記載された現金自動取引機設置装置。
【請求項５】
前記特殊ネジの取り外し防止機能は、前記特殊ネジに対応した専用工具のみが嵌合することにより実現されることを特徴とする請求項１乃至請求項４の何れか一に記載された現金自動取引機設置装置。
【請求項６】
フロアにアンカーボルトを打ち込み、請求項１乃至請求項５の何れか一に記載された現金自動取引機設置装置を前記アンカーボルトに固定し、前記アンカーボルトに固定した現金自動取引機設置装置のスカート内に現金自動取引機を挿入し、特殊ネジを用いて前記スカートと前記現金自動取引機とを固定することを特徴とする現金自動取引機設置方法。
【請求項７】
現金自動取引機の接地面積と略同一の面積を持ちボルトが取り付けられた金属製のプレートをフロアに設置し、請求項１乃至請求項５の何れか一に記載された現金自動取引機設置装置を前記ボルトに固定し、前記ボルトに固定した現金自動取引機設置装置のスカート内に現金自動取引機を挿入し、特殊ネジを用いて前記スカートと前記現金自動取引機とを固定することを特徴とする現金自動取引機設置方法。
【請求項８】
前記プレートに傾斜面を有するスロープを取り付け、前記現金自動取引機に備えられたキャスターが前記スロープ上を通過するように、前記現金自動取引機を前記プレート上に移動させ、その後前記スロープを撤去することを特徴とする請求項７に記載された現金自動取引機設置方法。
【発明の詳細な説明】
【０００１】
【発明の属する技術分野】
この発明は、現金自動取引機を固定して設置するための装置及び方法に関し、特に狭いスペースでの効率的な設置を行うための現金自動取引機設置装置および設置方法に関する。
【０００２】
【従来の技術】
従来、現金自動取引機（ＡＴＭ）を設置するための固定方式は、大規模な防犯用ブース内にＡＴＭを設置する事が一般的であった。しかし近年になって、コンビニエンスストア等の店舗内にＡＴＭを設置するケースが増加してきており、設置スペースの確保が困難なことや、大規模なブースを作るには費用と時間を要するといった問題が出てきた。設置場所であるコンビニエンスストア等の店舗の営業形態を鑑みると、ＡＴＭ装置の設置および撤去作業は迅速かつ簡便に行うことが要請され、設置に必要とされる領域も可能な限り狭いことが望ましい。また、現金を取り扱う装置であることから、一定以上の盗難防止効果を必要とすることは当然である。
【０００３】
また、従来から比較的簡単なＡＴＭの設置方法も提案されているが、ＡＴＭの扉を開けて装置内部でネジ固定をしているものであり、装置撤去等をする場合にＡＴＭ装置の鍵を持っている管理人が立ち会う必要があり、作業の煩雑さを残していた。
【０００４】
【発明が解決しようとする課題】
従って本願発明は、簡便かつ省スペース型のＡＴＭ設置装置およびＡＴＭ設置方法を提供することを課題とする。
【０００５】
【課題を解決するための手段】
前記課題を解決するための本願発明の現金自動取引機設置装置は、現金自動取引機を積載してフロアに固定する現金自動取引機設置装置であって、上面が開放され前記現金自動取引機の下部が嵌合する形状のスカートであって、前記現金自動取引機の下部側面に形成された雌ねじ部に対応する位置に取付穴が形成され、かつ、前記フロアに固定される前記現金自動取引機の下方領域に打ち込まれたアンカーボルトに対応する位置に固定用穴が形成されたスカートと、前記取付穴を介して前記雌ねじ部に取り付けることによって、前記スカートと前記現金自動取引機とを固定し、取り外し防止機能を有する特殊ネジと、前記固定用穴を介して前記アンカーボルトに前記スカートを固定するナットとを有することを特徴とする。
【０００６】
スカートをフロアに固定し、スカートにＡＴＭを固定することが容易であることや、設置および撤去の際にＡＴＭの内部にアクセスする必要が無くなることにより、ＡＴＭの設置作業の簡素化を図ることができ、安価に時間を掛けずにＡＴＭの設置が可能である。また、特殊ネジが取り外し防止機能を有することにより、盗難防止効果が高まる。
【０００７】
また、前記課題を解決するための本願発明の現金自動取引機設置装置は、前記スカートの開放された側面にフロントカバーを前記特殊ネジによって取り付けて覆うことを特徴とする。
【０００８】
スカートの側面が開放されていることで、設置または撤去作業時にＡＴＭ下部に容易にアクセスすることができ、作業時間の短縮化を図ることが可能となる。開放された側面に取り付けるフロントカバーも特殊ネジを使用して固定するため、特殊ネジをはずす工具を持っていないと容易に装置下部にアクセスすることができず、ケーブル等を簡単に切断することは不可能であり防犯効果も保たれる。
【０００９】
また、前記課題を解決するための本願発明の現金自動取引機設置装置は、前記現金自動取引機の下方領域に前記固定用穴が形成されていることを特徴とする。
【００１０】
アンカーボルトをＡＴＭ外形より内側に打ち込むことにより、アンカーボルトとＡＴＭを結ぶスカートがＡＴＭとほぼ同じ大きさに収まり省スペースでＡＴＭの設置が可能である。
【００１１】
また、前記課題を解決するための本願発明の現金自動取引機設置装置は、前記現金自動取引機の接地面積と前記スカートの接地面積とが、略同一であることを特徴とする。
【００１２】
スカートの接地面積が小さくても、十分に固定することが可能であり、省スペース化を図ることが可能となる。
【００１３】
また、前記課題を解決するための本願発明の現金自動取引機設置装置は、前記特殊ネジの取り外し防止機能は、前記特殊ネジに対応した専用工具のみが嵌合することにより実現されることを特徴とする。
【００１４】
専用工具のみが嵌合することにより、専用工具を持たない人物にとってはネジを回転させて取り外すことが困難となるため、取り外し防止機能が実現されて防犯効果が高まる。
【００１５】
また、前記課題を解決するための本願発明の現金自動取引機設置方法は、フロアにアンカーボルトを打ち込み、請求項１乃至請求項５の何れか一に記載された現金自動取引機設置装置を前記アンカーボルトに固定し、前記アンカーボルトに固定した現金自動取引機設置装置のスカート内に現金自動取引機を挿入し、特殊ネジを用いて前記スカートと前記現金自動取引機とを固定することを特徴とする。
【００１６】
スカートをフロアに固定し、スカートにＡＴＭを固定することが容易であることや、設置および撤去の際にＡＴＭの内部にアクセスする必要が無くなることにより、ＡＴＭの設置作業の簡素化を図ることができ、安価に時間を掛けずにＡＴＭの設置が可能である。
【００１７】
また、前記課題を解決するための本願発明の現金自動取引機設置方法は、現金自動取引機の接地面積と略同一の面積を持ちボルトが取り付けられた金属製のプレートをフロアに設置し、請求項１乃至請求項５の何れか一に記載された現金自動取引機設置装置を前記ボルトに固定し、前記ボルトに固定した現金自動取引機設置装置のスカート内に現金自動取引機を挿入し、特殊ネジを用いて前記スカートと前記現金自動取引機とを固定することを特徴とする。
【００１８】
フロアにアンカーボルトを打ち込めない場合は、重量があってＡＴＭと同等の大きさのプレートにボルトを取り付けることにより、ＡＴＭを容易に運び出すことができないようになる。また、プレートがＡＴＭと同等な大きさのため省スペースで設置ができる。
【００１９】
また、前記課題を解決するための本願発明の現金自動取引機設置方法は、前記プレートに傾斜面を有するスロープを取り付け、前記現金自動取引機に備えられたキャスターが前記スロープ上を通過するように、前記現金自動取引機を前記プレート上に移動させ、その後前記スロープを撤去することを特徴とする。
【００２０】
プレートを用いる場合手前に段差が生じるためＡＴＭ（キャスター付き自走型）をプレートに乗せるときプレート手前にスロープが必要になるが、このスロープを別部品にし使用後はＡＴＭと床の間のスペースに収納することにより、ＡＴＭ前方のスペースを確保できオペレータがＡＴＭに容易にアクセスできるようになる。
【００２１】
【発明の実施の形態】
以下に本発明の一実施の形態につき図面を参照して説明する。以下は本発明の一実施形態であって本発明を限定するものではない。
【００２２】
本願発明の現金自動取引機設置装置の構成を図１乃至図４に示す。図１は本願発明の現金自動取引機設置装置により、現金自動取引機（ＡＴＭ）を設置した実施の形態を示したものであり、ＡＴＭ１とスカート２及びフロントカバー３により構成されている。ＡＴＭ１はスカート２に固定して取り付けられ、スカート２の前面にはケーブル等の保護を目的としてフロントカバー３が取り付けられて、ＡＴＭ１の下面およびスカート２の内部へのアクセスを妨げている。
【００２３】
図２は、図１に示したＡＴＭ１とスカート２およびフロントカバー３を分離して、ＡＴＭ１の設置について詳細に説明した図である。スカート２はＡＴＭ１の下部側面に嵌合する形状に加工した金属板であり、ＡＴＭ１の下部側面に設けられた雌ねじ部６に対応する位置に取り付け穴５が形成されている。また、スカート２にはアンカーボルト７を挿入するための孔である固定用穴が内側に形成されている。ここでスカート２の内側とは、ＡＴＭ１を取り付けた際にＡＴＭ１が搭載される領域のことである。
【００２４】
図１のように、ＡＴＭ１を設置するスペースの床であるフロア１０に、スカート２の固定穴に対応する位置にアンカーボルト７を打ち込む。スカート２をアンカーボルト７とナット８により固定し、ＡＴＭ１をスカート２内に挿入し、特殊ネジ４を用いてスカート２側の取付穴５を通して雌ねじ部６にＡＴＭ１とスカート２を固定する。次にＡＴＭ１前方からのアクセスを防ぐためフロントカバー３を特殊ネジ４にて固定する。ＡＴＭ１のスカート２への挿入方法はＡＴＭ１に取り付けられたキャスターによる自走でも、リフターによる上からの挿入等でもかまわない。
【００２５】
また、フロア１０にアンカーボルト７を打てない場合は、重量のあるプレート１１にボルト１２をあらかじめ取付け、フロア１０にアンカーボルト７を打ち付けたときと同じようにＡＴＭ１をスカート２で固定する（図３および図４参照）。プレート１１はＡＴＭ１の設置面積とほぼ同じ大きさであり、省スペースでＡＴＭ１を設置できる。このときプレート１１には手前に段差が生じるためＡＴＭ１（キャスター付き自走型）をプレートに乗せるときプレート１１手前にスロープ１３が必要になるが、このスロープ１３を別部品にして使用後はＡＴＭ１とフロア１０の間のスペースに収納する。このことにより、ＡＴＭ１前方のスペースを確保できる。
【００２６】
また、スカート２とＡＴＭ１およびフロントカバー３の固定にすべて特殊ネジ４を使用せず、スカート２の左右１ヶ所程度を特殊ネジ４とし他は通常使われているネジにする事により、容易に特殊ネジ４以外を取り外すことができ、作業時間の短縮につながる。
【００２７】
また、盗難防止の効果を高めるために、ネジの数を増やすことやネジ部の長いネジで固定することにより、ネジを取り外すために要する時間を長くし、ネジの取り外しが行われている間に警備員が駆けつける仕組みも考えられる。
【００２８】
【発明の効果】
フロアに打ち込まれたアンカーボルトとスカートを使用してＡＴＭ装置を固定することにより、安価に時間を掛けずにＡＴＭの設置が可能である。また、アンカーボルトをＡＴＭ外形より内側に打ち込むことにより、アンカーボルトとＡＴＭを結ぶスカートがＡＴＭとほぼ同じ大きさに収まり省スペースでＡＴＭの設置が可能である。ＡＴＭとスカートを固定する特殊ネジが外部から取付のため、取り外すときにカギを必要とする扉等を開ける必要がなく、カギを持っている人の立ち会いが不要になる。また、ＡＴＭ前方のフロントカバーも特殊ネジを使用して固定するため、容易に装置下部にアクセスすることができずケーブル等が簡単に切断できないようになっている。
【００２９】
フロアにアンカーボルトを打ち込めない場合は、重量があってＡＴＭと同等の大きさのプレートにボルトを取り付けることにより、ＡＴＭを容易に運び出すことができないようになる。また、プレートがＡＴＭと同等な大きさのため省スペースで設置ができる。プレートを用いる場合手前に段差が生じるためＡＴＭ（キャスター付き自走型）をプレートに乗せるときプレート手前にスロープが必要になるが、このスロープを別部品にし使用後はＡＴＭと床の間のスペースに収納することにより、ＡＴＭ前方のスペースを確保できオペレータがＡＴＭに容易にアクセスできるようになる。
【図面の簡単な説明】
【図１】  現金自動取引機を接地固定した状態を示す図
【図２】  現金自動取引機接地装置の構造を示した図
【図３】  アンカーボルトの代用であるプレート
【図４】  プレートを使用した場合の段差をスロープで解消した図
【符号の説明】
１…ＡＴＭ
２…スカート
３…フロントカバー
４…特殊ネジ
５…取付穴
６…雌ねじ部
７…アンカーボルト
８…ナット
９…取付穴
１０…フロア
１１…プレート
１２…ボルト
１３…スロープ
【図１】
0003799242.tif 000002
【図２】
0003799242.tif 000003
【図３】
0003799242.tif 000004
【図４】
0003799242.tif 000005